(57)【特許請求の範囲】
【請求項１】
ドライブシャーシと、該ドライブシャーシに固定されたフィードモータと、該フィードモータの回転軸に固定されたウォームギアと、前記ドライブシャーシに固定され、前記ウォームギアの先端を支持するスプリングウォームと、前記ウォームギアに噛合するウォームホイールとを備えた光ディスク装置において、
前記スプリングウォームは、突出した板バネ状の突出部を有し、該突出部の先端側面に前記ウォームギアを前記ウォームホイール側へ付勢するように、前記ウォームギアの先端を受ける凹部を設けた支持面を有することを特徴とする光ディスク装置。
【請求項２】
ドライブシャーシと、該ドライブシャーシに固定されたフィードモータと、該フィードモータの回転軸に固定されたウォームギアと、前記ドライブシャーシに固定され、前記ウォームギアの先端を支持するスプリングウォームと、前記ウォームギアに噛合するウォームホイールとを備えた光ディスク装置において、
前記スプリングウォームは、前記ウォームギアを前記ウォームホイール側へ付勢するように、前記ウォームギアの先端を受ける凹部を設けた支持面を有することを特徴とする光ディスク装置。
【発明の詳細な説明】
【技術分野】
【０００１】
本発明は、ウォームギアの先端を支持するウォームスプリングを備えた光ディスク装置に関する。
【背景技術】
【０００２】
光ディスク装置では、光ピックアップの駆動やディスクトレイの移動やトラバースの昇降にフィードモータが使われている。通常、このフィードモータは光ピックアップを支持する金属製のドライブシャーシに固定されている。図３は、フィードモータ周辺の部品を取り付けたドライブシャーシの斜視図である。ドライブシャーシ２０には、フィードモータ３０と、ウォームギア４０と、スプリングウォーム（ブロック状の部材）５０と、ウォームホイール６０とが取り付けられている。
【０００３】
ウォームギア４０は、フィードモータ３０の回転軸に圧入されている。ウォームギア４０の先端はスプリングウォーム５０の支持面によってフィードモータ３０側へ押されている。また、ウォームギア４０はウォームホイール６０に噛合している。ウォームホイール６０は更にギア７０に噛合している。
【０００４】
図４は、スプリングウォーム５０の底面側の斜視図である。スプリングウォーム５０はドライブシャーシ２０に固定されており、本体１１から突出した突出部１２は板バネ状であり平坦な支持面１３でウォームギア４０の先端を押している。ウォームギア４０の先端を押す力は３０ｇ程度である。スプリングウォーム５０は、修理等の際に手動で各部を動かす場合に、ウォームギア４０が先端方向へ動くことを防止し、フィードモータ３０を手動で回転可能にするためのものである。
【０００５】
このような構成において、フィードモータ３０が駆動すると、ウォームギア４０が回転し、ウォームホイール６０及びギア７０等が従動し、光ピックアップが駆動したり、ディスクトレイが移動したり、トラバースが昇降したりする。
【０００６】
フィードモータ３０の駆動時には、ウォームホイール６０からウォームギア４０への反力が発生する。この反力により、ウォームギア４０の先端が支持面上をウォームホイール６０から遠ざかる方向に滑る。つまり、ウォームギア４０がウォームホイール６０から遠ざかる方向に撓む。この撓みが大きいと、ウォームギア４０とウォームホイール６０との隙間が大きくなり、歯飛び（空回り）が生じることがある。歯飛びによる装置への悪影響はないが、異音が発生するので、ユーザに不快感を与えるとともに、安っぽい印象を与え動作品位に欠ける。
【０００７】
従来、この歯飛びを防止するためには、ウォームギア４０とウォームホイール６０との隙間を厳しく管理して精度良く組み付けなければならなかった。
【０００８】
ところで、ウォームギアとウォームホイールとの関係については様々な技術が開示されている。例えば、特許文献１の光ピックアップ送り機構では、基台の軸受けに隣接してウォームギアの回転軸をヘリカルギア（ウォームホイール）と噛合するように付勢する板バネが基台に取り付けられている。そして、ヘリカルギアの回転が抑止されると、ウォームギアは、板バネの付勢方向とは逆の方向に押し戻されてヘリカルギアの歯を乗り越えて空回りし、ウォームギアがヘリカルギアへ食い込むことが防止される。
【０００９】
また特許文献２には、最小化のために、又はウォームギアの軸方向の遊びをなくすために制御手段が設けられた、走査装置用の駆動システムを有する、情報を記録又は再生する装置が開示されている。
【００１０】
また特許文献３には、板バネでウォームギアを付勢することによりウォームギアとピニオン（ウォームホイール）の歯との保持力が増大し、バックラッシュが低減される光学ピックアップの送り装置が開示されている。
【特許文献１】特開２００１−１６７５３５号公報
【特許文献２】特表２００２−５１１６２９号公報
【特許文献３】特開２０００−１２３４９９号公報
【発明の開示】
【発明が解決しようとする課題】
【００１１】
しかしながら、図３、図４の構成では、歯飛びを防止するためには、ウォームギア４０とウォームホイール６０との隙間を厳しく管理しなければならないため、大量生産するのは難しい。
【００１２】
また上記の特許文献１〜３によれば、新たに板バネや制御手段を設ける必要があるので部品の増加を招き、コストが増大し生産効率も悪化する。ウォームギアの歯飛びを防止するためだけに部品数を増やしてコストを掛けるのは好ましくない。
【００１３】
そこで本発明は、従来から備えられているスプリングウォームを改良してウォームギアの撓みを抑えて歯飛びを防止し、動作品位を向上させた光ディスク装置を提供することを目的とする。
【課題を解決するための手段】
【００１４】
上記目的を達成するために本発明は、ドライブシャーシと、該ドライブシャーシに固定されたフィードモータと、該フィードモータの回転軸に固定されたウォームギアと、前記ドライブシャーシに固定され、前記ウォームギアの先端を支持するスプリングウォームと、前記ウォームギアに噛合するウォームホイールとを備えた光ディスク装置において、
前記スプリングウォームは、前記ウォームギアを前記ウォームホイール側へ付勢する支持面を有することを特徴とする。
【００１５】
この構成によると、ウォームギアの先端がスプリングウォームの支持面によってウォームホイール側へ付勢されるので、フィードモータの駆動時にウォームホイールからウォームギアへの反力によってウォームギアが撓んで歯飛びが生じることを防止できる。
【００１６】
上記の光ディスク装置において、前記ウォームギアを前記ウォームホイール側へ付勢するようにするためには、前記支持面を傾斜させればよい。
【００１７】
また、他の手段として、前記支持面に前記ウォームギアの先端を受ける凹部を設けてもよい。
【００１８】
上記の本発明を具体化すると、ドライブシャーシと、該ドライブシャーシに固定されたフィードモータと、該フィードモータの回転軸に固定されたウォームギアと、前記ドライブシャーシに固定され、前記ウォームギアの先端を支持するスプリングウォームと、前記ウォームギアに噛合するウォームホイールとを備えた光ディスク装置において、
前記スプリングウォームは、突出した板バネ状の突出部を有し、該突出部の先端側面に前記ウォームギアを前記ウォームホイール側へ付勢する傾斜した支持面を有する構成となる。
【発明の効果】
【００１９】
本発明によれば、従来のスプリングウォームの支持面を改良することにより、ウォームギアの歯飛びを防止して異音の発生を抑制し、動作品位を向上させることができる。
【発明を実施するための最良の形態】
【００２０】
図１は、スプリングウォームの底面側の斜視図である。スプリングウォーム１０の周辺部品の構成は従来例の図３と同様であり、同様の部品には同符号を付してその詳細な説明を省略する。スプリングウォーム１０は、修理等の際に手動で各部を動かす場合に、ウォームギア４０が先端方向へ動くことを防止し、フィードモータ３０を手動で回転可能にするためのものである。
【００２１】
図１に示すように、スプリングウォーム１０は、本体１１と、本体１１から突出した板バネ状の突出部１２と、ウォームギア４０の先端を支持するために突出部１２の先端側面に形成された傾斜した支持面１３と、ドライブシャーシ２０に固定するための突起１４とを有している。スプリングウォーム１０は、樹脂により一体成形することができる。
【００２２】
支持面１３の傾斜は、ウォームギア４０をウォームホイール６０側へ押す方向に形成されている。支持面１３の傾斜角は、ウォームギア４０が先端方向へ動くことを防止し、フィードモータ３０を手動で回転可能にするという従来のスプリングウォーム１０の機能を維持するために、支持面１３がウォームギア４０を押す力が３０ｇ程度となるように設計することが好ましい。
【００２３】
そして図３と同様に、支持面１３がウォームギア４０の先端を押すように、スプリングウォーム１０はドライブシャーシ２０に固定される。このとき、支持面１３が傾斜しているので、ウォームギア４０がウォームホイール６０側へ付勢される。
【００２４】
フィードモータ３０の駆動時には、ウォームホイール４０からウォームギア６０への反力が発生する。この反力により、ウォームギア４０はウォームホイール６０から遠ざかる方向に撓もうとする。この撓みが大きいと、ウォームギア４０とウォームホイール６０との隙間が大きくなり、歯飛びが生じることがある。しかし、図１のように、支持面１３が傾斜していることにより、ウォームギア４０がウォームホイール６０側へ付勢され、ウォームギア４０の撓みが抑えられて歯飛びが防止される。
【００２５】
このように、ウォームギア４０の歯飛びが防止されることにより、異音の発生を防止し、動作品位を向上させることができる。
【００２６】
なお、支持面１３は、ウォームギア４０の先端を支持して、ウォームホイール６０からの反力があった場合にウォームギア４０の先端をウォームホイール６０側へ付勢してウォームギア４０の撓みを抑えられる形状であれば特に限定はない。例えば、図２に示すように、スプリングウォーム１０’の支持面１３にウォームギア４０の先端を受ける凹部１５を設ける構成としてもよい。この構成によれば、凹部１５でウォームギア４０の先端を支持するので、支持面１３を傾斜させなくてもウォームギア４０の撓みを防止できる。なお、凹部１５はウォームギア４０の先端のみを挿通させるような孔であってもよい。
【００２７】
上記のスプリングウォーム１０等が組み付けられたドライブシャーシ２０は、ＣＤやＤＶＤ等の光ディスクを再生、記録する光ディスク装置に搭載される。光ディスク装置の一例としてＤＶＤプレーヤを例にその構成を説明する。ＤＶＤプレーヤは、ＤＶＤにデジタル記録された画像データをデータ・ビット・ストリームとして読み出すディスクドライブ装置と、読み出されたデータ・ビット・ストリームから圧縮変換前の画像データと音声データとを復元して画像と音声を再生するデコーダと、ＤＶＤプレーヤ全体の動作を制御する制御部と、視聴制限の基準となる所定の周波数を格納するＥＥＰＲＯＭと、リモコンからの赤外線の明滅信号による操作指示を入力する受光回路と、ユーザがＤＶＤプレーヤに対する操作指示をＤＶＤプレーヤ側にて実施可能な操作パネルとから構成されている。付属品として上記の操作指示を入力するリモコンがある。
【００２８】
ディスクドライブ装置は、フォーカス用の磁気駆動部等に対して制御信号を送出することにより光ピックアップを所定位置に駆動させるサーボ信号処理部と、光ピックアップからの読み取り信号を増幅して所定の制御信号を生成するＲＦアンプと、増幅された信号の中から記録されているデジタルデータを復元してデータ・ビット・ストリームに変換して出力するＣＤ信号処理部とから構成されている。
【００２９】
そして、制御部による制御のもとでこれらが相互に作動し、ＤＶＤに記録されたデータ・ビット・ストリームをデコーダに出力可能となっている。デコーダはデータ・ビット・ストリームをビデオ成分とオーディオ成分とに分離するとともにＭＰＥＧ復調し、ビデオ信号と音声信号とに復元しつつそれらを同期させて出力する。
【００３０】
制御部の内部には演算処理の主体となるＣＰＵとともに、所定の制御プログラムが記録されたＲＯＭやワークエリアなどとして利用されるＲＡＭが備えられているとともに、外部機器を制御するための制御回路が備えられている。この制御部による制御のもとで上述したようにディスクドライブ装置やデコーダが画像及び音声を再生する。
【産業上の利用可能性】
【００３１】
本発明は、ＣＤやＤＶＤ等の光ディスクを再生、記録する光ディスク装置に利用することができる。
【図面の簡単な説明】
【００３２】
【図１】本発明のスプリングウォームの底面側の斜視図である。
【図２】本発明の他の形態のスプリングウォームの底面側の斜視図である。
【図３】従来のフィードモータ周辺の部品を取り付けたドライブシャーシの斜視図である。
【図４】従来のスプリングウォームの底面側の斜視図である。
【符号の説明】
【００３３】
１０、１０’    スプリングウォーム
１２    突出部
１３    支持面
２０    ドライブシャーシ
３０    フィードモータ
４０    ウォームギア
６０    ウォームホイール
【図１】
0004400581.tif 000002
【図２】
0004400581.tif 000003
【図３】
0004400581.tif 000004
【図４】
0004400581.tif 000005